(57)【要約】【課題】簡易的、かつより確実にデフレクタをナット本体に固定することが可能な転動体ねじ装置を提供する。【解決手段】ナット本体３１０には、外周面側から内周面側に向かってデフレクタ３２０が嵌合される段付きの嵌合穴が各デフレクタ３２０に対応してそれぞれ設けられ、かつ外周面には全ての嵌合穴上を通過する螺旋に沿った螺旋溝３１２が設けられると共に、複数の嵌合穴に対して、それぞれデフレクタ３２０が嵌合された状態で、コイルスプリング３３０が螺旋溝３１２に沿って巻き付けられることによって、各デフレクタ３２０がナット本体３１０に装着されることを特徴とする。【選択図】図５
2012225485.tif 000002
【特許請求の範囲】
【請求項１】
外周面側に螺旋状の第１のねじ溝が形成されるねじ軸と、
内周面側に第１のねじ溝に対応する螺旋状の第２のねじ溝が形成されるナットと、
第１のねじ溝と第２のねじ溝との間に配置される複数の転動体と、
を備え、
前記ナットには、転動体を無限循環させるために前記ねじ軸におけるランドを転動体が乗り越える通路を形成するデフレクタが複数設けられる転動体ねじ装置において、
前記ナットのナット本体には、外周面側から内周面側に向かって前記デフレクタが嵌合される段付きの嵌合穴が各デフレクタに対応してそれぞれ設けられ、かつ外周面には全ての前記嵌合穴上を通過する螺旋に沿うような螺旋溝が設けられると共に、
複数の前記嵌合穴に対して、それぞれデフレクタが嵌合された状態で、線状部材が前記螺旋溝に沿って巻き付けられることによって、各デフレクタが前記ナット本体に装着されることを特徴とする転動体ねじ装置。
【請求項２】
前記線状部材が前記螺旋溝に沿って巻き付けられることで、各デフレクタは該線状部材によって前記ナット本体にそれぞれ押し付けられることを特徴とする請求項１に記載の転動体ねじ装置。
【請求項３】
前記線状部材はコイルスプリングであることを特徴とする請求項１または２に記載の転動体ねじ装置。
【請求項４】
前記線状部材の端部が前記ナット本体に固定されていることを特徴とする請求項１，２または３に記載の転動体ねじ装置。
【発明の詳細な説明】
【技術分野】
【０００１】
本発明は、デフレクタ方式のボールねじなどの転動体ねじ装置に関するものである。
【背景技術】
【０００２】
ボールねじにおいて、ボールを無限に循環させる方式として、デフレクタ方式が知られている。かかるデフレクタ方式は、ナットのナット本体に嵌合穴を設けておき、この嵌合穴にＳ字状の循環溝が形成されているデフレクタ（こま）を嵌め込む構成が採用される。これにより、ねじ軸に設けられているねじ溝を転がるボールが、デフレクタに設けられた循環溝により案内され、ねじ軸におけるランドを乗り越えて、隣のねじ溝に戻されることで、ボールは無限に循環する。
【０００３】
上記のように構成されるデフレクタ方式のボールねじにおいて、デフレクタをナット本体の嵌合穴に固定する方法として、接着剤によって接着する方法が知られている。しかしながら、この場合には、接着剤がはみ出してしまうなどの問題がある。これを解消する方法として、ナットの外周面とデフレクタの外周面に溝を設けておき、Ｃ字形状の止め輪を嵌め込む技術も知られている（特許文献１参照）。しかしながら、Ｃ字形状の止め輪の場合、一つの止め輪で一つのデフレクタしか固定させることができない。また、Ｃ字形状の止め輪の場合、外径方向への力が作用することで簡単に開いてしまうため、デフレクタが外れてしまうことも懸念される。
【先行技術文献】
【特許文献】
【０００４】
【特許文献１】特開２００４−１２４９８６号公報
【発明の概要】
【発明が解決しようとする課題】
【０００５】
本発明の目的は、ナット本体へのデフレクタの装着作業をより容易にし、かつより確実にデフレクタをナット本体に固定することが可能な転動体ねじ装置を提供することにある。
【課題を解決するための手段】
【０００６】
本発明は、上記課題を解決するために以下の手段を採用した。
【０００７】
すなわち、本発明の転動体ねじ装置は、
外周面側に螺旋状の第１のねじ溝が形成されるねじ軸と、
内周面側に第１のねじ溝に対応する螺旋状の第２のねじ溝が形成されるナットと、
第１のねじ溝と第２のねじ溝との間に配置される複数の転動体と、
を備え、
前記ナットには、転動体を無限循環させるために前記ねじ軸におけるランドを転動体が乗り越える通路を形成するデフレクタが複数設けられる転動体ねじ装置において、
前記ナットのナット本体には、外周面側から内周面側に向かって前記デフレクタが嵌合される段付きの嵌合穴が各デフレクタに対応してそれぞれ設けられ、かつ外周面には全ての前記嵌合穴上を通過する螺旋に沿うような螺旋溝が設けられると共に、
複数の前記嵌合穴に対して、それぞれデフレクタが嵌合された状態で、線状部材が前記螺旋溝に沿って巻き付けられることによって、各デフレクタが前記ナット本体に装着されることを特徴とする。
【０００８】
本発明によれば、線状部材を螺旋溝に巻き付けるだけで、複数のデフレクタをナット本体に装着することができる。従って、接着剤などを必要とすることなく、簡易的にナット本体に対してデフレクタを装着することができ、しかも複数のデフレクタをまとめて装着することができる。また、線状部材は、螺旋状に巻き付けられた状態となっているので、外径方向への力が作用した場合であっても、Ｃ字形状の止め輪の場合に比べて外径方向に変形し難い。従って、デフレクタをより確実に固定することができる。
【発明の効果】
【０００９】
以上説明したように、本発明によれば、ナット本体へのデフレクタの装着作業をより容易にし、かつより確実にデフレクタをナット本体に固定することができる。
【図面の簡単な説明】
【００１０】
【図１】図１は本発明の実施例に係るボールねじの正面図である。
【図２】図２は本発明の実施例に係るナットの斜視図の一部である。
【図３】図３は本発明の実施例に係るデフレクタの斜視図である。
【図４】図４は本発明の実施例に係るデフレクタがナット本体に取り付けられた状態を内周面側から見た破断斜視図である。
【図５】図５は本発明の実施例に係るボールねじの断面図の一部である。
【図６】図６は本発明の実施例に係るボールねじの断面図の一部である。
【発明を実施するための形態】
【００１１】
以下に図面を参照して、この発明を実施するための形態を、実施例に基づいて例示的に詳しく説明する。ただし、この実施例に記載されている構成部品の寸法、材質、形状、その相対配置などは、特に特定的な記載がない限りは、この発明の範囲をそれらのみに限定する趣旨のものではない。なお、以下の実施例においては、転動体ねじ装置の一例として、ボールねじの場合を例にして説明する。
【００１２】
（実施例）
図１〜図６を参照して、本発明の実施例に係るボールねじについて説明する。
【００１３】
＜ボールねじ全体＞
特に、図１及び図５を参照して、本発明の実施例に係るボールねじ１００の全体構成について説明する。図１はボールねじ１００全体を示す正面図であり、図５はボールねじ１００全体を、軸心を通る面で切断した断面図の一部（図１中のＡＡ断面図）である。
【００１４】
ボールねじ１００は、ねじ軸２００と、ナット３００と、複数の転動体としてのボール４００とから構成される。ねじ軸２００には、その外周面側に螺旋状の第１のねじ溝２１０が形成されている。ナット３００におけるナット本体３１０には、その内周面側に第１のねじ溝２１０に対応する（対向する）螺旋状の第２のねじ溝３１１が形成されている。これら第１のねじ溝２１０と第２のねじ溝３１１との間に複数の転動体としてのボール４００が配置される。すなわち、第１のねじ溝２１０と第２のねじ溝３１１との間に螺旋状の軌道（ボール４００の通路（負荷領域となる通路））が形成され、複数のボール４００はこの軌道を循環する。
【００１５】
以上の構成により、ねじ軸２００を軸心周りに回転させると、ナット３００がねじ軸２００に沿って軸方向に移動する。また、ナット３００を回転させると、ねじ軸２００が軸方向に移動する。そして、ねじ軸２００またはナット３００を回転させている間、複数のボール４００は、第１のねじ溝２１０と第２のねじ溝３１１との間の螺旋状の軌道を循環する。
【００１６】
そして、ナット本体３１０には、ボール４００を無限循環させるためのデフレクタ３２０が複数設けられている。デフレクタ３２０は、ボール４００を無限循環させるために、ねじ軸２００におけるランド２２０をボール４００が乗り越える通路を形成するものである。
【００１７】
＜デフレクタ＞
特に、図２〜図６を参照して、本実施例に係るデフレクタ３２０、及びデフレクタ３２０のナット本体３１０への固定構造（固定方法）について詳しく説明する。図２はナット３００の端部の付近を示す斜視図であり、図３はデフレクタ３２０の斜視図であり、図４はデフレクタ３２０がナット本体３１０に取り付けられた状態を内周面側から見た破断斜視図である。また、図６は図１中のＢＢ断面図である。
【００１８】
デフレクタ３２０は、略平板状の平板部３２１と、平板部３２１から突き出た略円柱状の円柱部３２２と、円柱部３２２の先端面に設けられるＳ字形状の循環溝３２３とを備えている。なお、円柱部３２２の先端面はナット本体３１０の内周面に沿うように湾曲面となっている。
【００１９】
ナット本体３１０には、外周面側から内周面側に向かってデフレクタ３２０が嵌合される段付きの嵌合穴３１３が、各デフレクタ３２０に対応してそれぞれ設けられている。各デフレクタ３２０の配置が周方向に分散されるように、これら複数の嵌合穴は、軸方向に対して隣り合う嵌合穴が周方向にずれるように設けられている。デフレクタ３２０の部位においては、ボール４００が循環する部分（無負荷部分）となるので、デフレクタ３２０を周方向に分散させて配置することにより、無負荷領域を周方向に分散させることが可能となる。また、ナット本体３１０の外周面には螺旋溝３１２が設けられている。この螺旋溝３１２は、ナット本体３１０に複数設けられている全ての嵌合穴３１３上を通過する螺旋（仮想的な螺旋）に沿うように設けられている。
【００２０】
そして、複数の嵌合穴３１３に対して、それぞれデフレクタ３２０が嵌合された状態で、線状部材としてのコイルスプリング３３０が螺旋溝３１２に沿って巻き付けられた状態で固定されている。このコイルスプリング３３０は、螺旋溝３１２に沿ってねじ込むことによって、簡単にナット本体３１０に取り付けることができる。また、コイルスプリング３３０を所望の位置までねじ込んだ後に、その両端（又は片端）をナット本体３１０に突き刺すことによって、コイルスプリング３３０をナット本体３１０に対して強固に固定することができる。例えば、コイルスプリング３３０の端部３３１を内周側に向けて折り曲げて、ナット本体３１０に突き刺す、あるいはナット本体３１０における螺旋溝３１２の溝底に穴を設けておき、この穴に端部３３１を嵌め込めばよい。
【００２１】
このように、コイルスプリング３３０がナット本体３１０に取り付けられることによって、各デフレクタ３２０における平板部３２１が外周面側から押されて、平板部３２１の内側が嵌合穴３１３における段部３１３ａに押し付けられた状態となる。これにより、各デフレクタ３２０はコイルスプリング３３０によってナット本体３１０に対してそれぞれ押し付けられて強固に固定される。ただし、コイルスプリング３３０と平板部３２１との間にクリアランスを設けることで、デフレクタ３２０が外周側に少しだけ移動できるような、いわゆる遊びを持たす構成を採用することもできる。
【００２２】
以上のように、ナット本体３１０にデフレクタ３２０が設けられることによって、無限循環路が形成される。ここで、デフレクタ３２０によって無限循環路が形成される点については公知技術であるが、以下、簡単に説明する。ねじ軸２００とナット３００とが相対的に回転している間、第１のねじ溝２１０と第２のねじ溝３１１との間に形成されている螺旋状の軌道に沿って複数のボール４００は移動する。そして、ねじ軸２００における第
１のねじ溝２１０に沿って移動するボール４００は、デフレクタ３２０に設けられたＳ字形状の循環溝３２３に案内されて、ねじ軸２００におけるランド２２０を乗り越えて、第１のねじ溝２１０のうち、循環溝３２３に到達する前に転がっていた隣のねじ溝部分に戻される。このようにして、複数のボール４００は無限循環路を循環する。
【００２３】
＜本実施例に係るボールねじの優れた点＞
本実施例に係るボールねじ１００によれば、線状部材としてのコイルスプリング３３０をナット本体３１０の螺旋溝３１２に巻き付けて固定するだけで、複数のデフレクタ３２０をナット本体３１０に固定することができる。
【００２４】
従って、接着剤などを必要とすることなく、簡易的にナット本体３１０に対してデフレクタ３２０を固定することができ、しかも複数のデフレクタ３２０をまとめて固定することができる。また、コイルスプリング３３０は、螺旋状に巻き付けられた状態で固定されているので、外径方向への力が作用した場合であっても、Ｃ字形状の止め輪の場合に比べて外径方向に変形し難い。従って、デフレクタ３２０をより確実に固定することができる。また、線状部材としてコイルスプリング３３０を用いることにより、コイルスプリング３３０を螺旋溝３１２に沿ってねじ込むことによって、簡単にナット本体３１０に取り付けることができる。また、コイルスプリング３３０の両端（又は片端）をナット本体３１０に突き刺す等することによって、コイルスプリング３３０の端部をナット本体３１０に対して固定することで、コイルスプリング３３０をナット本体３１０に強固に固定することができる。
【００２５】
なお、上記線状部材として用いられるコイルスプリング３３０は、これを製造する際に、その弾性、つまり、嵌合穴３１３の段部３１３ａに対してデフレクタ３２０を押し付ける力を容易に設定することができる。加えて、コイルスプリング３３０は、場合によっては市販のものをそのまま使用できる故に、ボールねじの製造コストの低減にも寄与する。但し、線状部材としては、コイルスプリングに限らず、弾性を有さない金属等からなるワイヤーを用いてもよく、これを巻き付けることでデフレクタ３２０をナット本体３１０に固定することも可能である。
【００２６】
（その他）
また、上記実施例においては、転動体がボールであるボールねじの場合を示したが、本発明においては、転動体がローラである場合の転動体ねじ装置にも適用可能である。
【符号の説明】
【００２７】
２００・・・ねじ軸，２１０・・・第１のねじ溝，２２０・・・ランド，３００・・・ナット，３１０・・・ナット本体，３１１・・・第２のねじ溝，３１２・・・螺旋溝，３１３・・・嵌合穴，３２０・・・デフレクタ，３３０・・・コイルスプリング，４００・・・ボール
【図１】
2012225485.tif 000003
【図２】
2012225485.tif 000004
【図３】
2012225485.tif 000005
【図４】
2012225485.tif 000006
【図５】
2012225485.tif 000007
【図６】
2012225485.tif 000008